【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
近隣基本サービスセット（ＢＳＳ）に関する情報に基づいて１つまたは複数のワイヤレスデバイスと通信するためのプライマリチャネルを選択する、ここにおいて、前記プライマリチャネルの前記選択は、前記１つまたは複数のワイヤレスデバイスのうちのどれが、前記１つまたは複数のワイヤレスデバイスのうちの他のワイヤレスデバイスと同時に通信することができるか、および、前記１つまたは複数のワイヤレスデバイスのうちのどれが、前記１つまたは複数のワイヤレスデバイスのうちの他のワイヤレスデバイスと同時に通信できないかを決定することを備える、および、
装置が、前記選択されたプライマリチャネルを使用して前記１つまたは複数のワイヤレスデバイスと通信することを意図することをシグナリングするメッセージを生成する、ここにおいて、前記メッセージは、前記選択されたプライマリチャネルのチャネル番号および前記選択されたプライマリチャネルを使用する前記意図された通信までの時間の量の表示を備える、
ように構成された少なくとも１つのプロセッサと、
送信のために前記メッセージを出力するように構成された第１のインターフェースと、
前記近隣ＢＳＳの１つまたは複数のワイヤレスデバイスからの応答を受信するように構成された第２のインターフェースと
を備え、
ここにおいて、各応答は、前記選択されたプライマリチャネルが、前記応答を送信している前記ワイヤレスデバイスにとって許容可能であること、または、前記選択されたプライマリチャネルが、前記応答を送信している前記ワイヤレスデバイスにとって許容可能ではないことを示し、および、ここにおいて、
前記少なくとも１つのプロセッサが、前記応答に基づいて、異なるプライマリチャネルを選択するようにさらに構成される、ワイヤレス通信のための装置。
【請求項２】
前記選択されたプライマリチャネルが、前記近隣ＢＳＳの少なくとも１つによって使用されるセカンダリチャネルと重複する、請求項１に記載の装置。
【請求項３】
前記選択されたプライマリチャネルが、前記近隣ＢＳＳのプライマリチャネルとの重複を最小化するために選択される、請求項１に記載の装置。
【請求項４】
前記近隣ＢＳＳに関する前記情報が、前記近隣ＢＳＳからの受信信号強度表示（ＲＳＳＩ）、または前記近隣ＢＳＳからのプライマリチャネル表示のうちの少なくとも１つを備える、請求項１に記載の装置。
【請求項５】
前記近隣ＢＳＳに関する前記情報が、前記近隣ＢＳＳによって使用されるチャネル上のローディング、または前記近隣ＢＳＳによって引き起こされる潜在的干渉のうちの少なくとも１つに関する情報を備える、請求項１に記載の装置。
【請求項６】
ローディングに関する前記情報が、チャネルを使用する前記近隣ＢＳＳ内のワイヤレスデバイスの数、チャネル上で使用される送信時間、チャネル上でドロップされたパケット、または特定の帯域幅上で送信がどのくらいの頻度で発生するかのうちの少なくとも１つの表示を備える、請求項５に記載の装置。
【請求項７】
前記近隣ＢＳＳに関する前記情報が、前記近隣ＢＳＳによって他のＢＳＳに提案されたプライマリチャネル、または、前記近隣ＢＳＳによって他のＢＳＳに禁止されたプライマリチャネルのうちの少なくとも１つに関する情報を備える、請求項１に記載の装置。
【請求項８】
前記少なくとも１つのプロセッサが、ビーコン、バックホール接続、アクションフレーム、または管理フレームのうちの少なくとも１つを介して、前記近隣ＢＳＳに関する情報を取得するようにさらに構成される、請求項１に記載の装置。
【請求項９】
前記少なくとも１つのプロセッサが、ブロードキャスト送信を介して前記近隣ＢＳＳに関する情報を取得するようにさらに構成される、請求項１に記載の装置。
【請求項１０】
前記少なくとも１つのプロセッサが、前記近隣ＢＳＳから送信されるアクションフレームを介して、前記近隣ＢＳＳに関する情報を取得するようにさらに構成される、請求項１に記載の装置。
【請求項１１】
前記少なくとも１つのプロセッサが、前記装置がメンバーであるＢＳＳから送信される管理フレームを介して前記近隣ＢＳＳに関する情報を取得するようにさらに構成される、請求項１に記載の装置。
【請求項１２】
前記少なくとも１つのプロセッサが、プライマリチャネル選択のために使用される情報をシグナリングする別のメッセージを生成するようにさらに構成され、
前記第１のインターフェースが、送信のために前記別のメッセージを出力するようにさらに構成される、請求項１に記載の装置。
【請求項１３】
前記第１のインターフェースが、前記近隣ＢＳＳに送信のために前記メッセージを出力するように構成される、請求項１に記載の装置。
【請求項１４】
前記受信された応答のうちの少なくとも１つが、提案された代替プライマリチャネルを示し、
前記少なくとも１つのプロセッサが、前記提案された代替プライマリチャネルを前記プライマリチャネルとして選択するようにさらに構成される、請求項１に記載の装置。
【請求項１５】
近隣基本サービスセット（ＢＳＳ）に関する情報に基づいて１つまたは複数のワイヤレスデバイスと通信するためのプライマリチャネルを選択する、ここにおいて、前記プライマリチャネルの前記選択は、前記１つまたは複数のワイヤレスデバイスのうちのどれが、前記１つまたは複数のワイヤレスデバイスのうちの他のワイヤレスデバイスと同時に通信することができるか、および、前記１つまたは複数のワイヤレスデバイスのうちのどれが、前記１つまたは複数のワイヤレスデバイスのうちの他のワイヤレスデバイスと同時に通信できないかを決定することを備える、および、
装置が、前記選択されたプライマリチャネルを使用して前記１つまたは複数のワイヤレスデバイスと通信することを意図することをシグナリングするメッセージを生成する
ように構成された少なくとも１つのプロセッサと、
前記選択されたプライマリチャネルを使用する前記意図された通信の前に送信される１つまたは複数のビーコンを介して送信のために前記メッセージを出力するように構成された第１のインターフェースと、
前記近隣ＢＳＳの１つまたは複数のワイヤレスデバイスからの応答を受信するように構成された第２のインターフェースと
を備え、
ここにおいて、各応答は、前記選択されたプライマリチャネルが、前記応答を送信している前記ワイヤレスデバイスにとって許容可能であること、または、前記選択されたプライマリチャネルが、前記応答を送信している前記ワイヤレスデバイスにとって許容可能ではないことを示し、および、ここにおいて、
前記少なくとも１つのプロセッサが、前記応答に基づいて、異なるプライマリチャネルを選択するようにさらに構成される、ワイヤレス通信のための装置。
【請求項１６】
近隣基本サービスセット（ＢＳＳ）に関する情報を取得することと、
前記取得された情報に基づいて、１つまたは複数のワイヤレスデバイスと通信するためのプライマリチャネルを選択することと、ここにおいて、前記プライマリチャネルを選択することは、前記１つまたは複数のワイヤレスデバイスのうちのどれが、前記１つまたは複数のワイヤレスデバイスのうちの他のワイヤレスデバイスと同時に通信することができるか、および、前記１つまたは複数のワイヤレスデバイスのうちのどれが、前記１つまたは複数のワイヤレスデバイスのうちの他のワイヤレスデバイスと同時に通信することができないかを決定することを備える、
送信のために、前記選択されたプライマリチャネルを使用して前記１つまたは複数のワイヤレスデバイスと通信する意図をシグナリングするメッセージを出力することと、ここにおいて、前記メッセージは、前記選択されたプライマリチャネルのチャネル番号および前記選択されたプライマリチャネルを使用する前記意図された通信までの時間の量の表示を備える、
前記近隣ＢＳＳの１つまたは複数のワイヤレスデバイスからの応答を受信することと、ここにおいて、各応答が、前記選択されたプライマリチャネルが、前記応答を送信している前記ワイヤレスデバイスにとって許容可能であること、または、前記選択されたプライマリチャネルが、前記応答を送信している前記ワイヤレスデバイスにとって許容可能ではないことを示す、
前記応答に基づいて、異なるプライマリチャネルを選択することと
を備えるワイヤレス通信のための方法。
【請求項１７】
前記選択されたプライマリチャネルが、前記近隣ＢＳＳの少なくとも１つによって使用されるセカンダリチャネルと重複する、請求項１６に記載の方法。
【請求項１８】
前記選択されたプライマリチャネルが、前記近隣ＢＳＳのプライマリチャネルとの重複を最小化するために選択される、請求項１６に記載の方法。
【請求項１９】
前記出力することが、前記選択されたプライマリチャネルを使用する前記意図された通信の前に送信される１つまたは複数のビーコンを介して送信のために前記メッセージを出力することを備える、請求項１６に記載の方法。
【請求項２０】
前記近隣ＢＳＳに関する前記情報が、前記近隣ＢＳＳからの受信信号強度表示（ＲＳＳＩ）、または前記近隣ＢＳＳからのプライマリチャネル表示のうちの少なくとも１つを備える、請求項１６に記載の方法。
【請求項２１】
前記近隣ＢＳＳに関する前記情報が、前記近隣ＢＳＳによって使用されるチャネル上のローディング、または前記近隣ＢＳＳによって引き起こされる潜在的干渉のうちの少なくとも１つに関する情報を備える、請求項１６に記載の方法。
【請求項２２】
ローディングに関する前記情報が、チャネルを使用する前記近隣ＢＳＳ内のワイヤレスデバイスの数、チャネル上で使用される送信時間、チャネル上でドロップされたパケット、または特定の帯域幅上で送信がどのくらいの頻度で発生するかのうちの少なくとも１つの表示を備える、請求項２１に記載の方法。
【請求項２３】
前記近隣ＢＳＳに関する前記情報が、前記近隣ＢＳＳによって他のＢＳＳに提案されたプライマリチャネル、または、前記近隣ＢＳＳによって他のＢＳＳに禁止されたプライマリチャネルのうちの少なくとも１つに関する情報を備える、請求項１６に記載の方法。
【請求項２４】
前記近隣ＢＳＳに関する前記情報を取得することが、ビーコン、バックホール接続、アクションフレーム、ブロードキャスト送信、または管理フレームのうちの少なくとも１つを介して前記情報を取得することを備える、請求項１６に記載の方法。
【請求項２５】
少なくとも１つのアンテナと、
近隣基本サービスセット（ＢＳＳ）に関する情報に基づいて１つまたは複数のワイヤレスデバイスと通信するためのプライマリチャネルを選択する、ここにおいて、前記プライマリチャネルの前記選択は、前記１つまたは複数のワイヤレスデバイスのうちのどれが、前記１つまたは複数のワイヤレスデバイスのうちの他のワイヤレスデバイスと同時に通信することができるか、および、前記１つまたは複数のワイヤレスデバイスのうちのどれが、前記１つまたは複数のワイヤレスデバイスのうちの他のワイヤレスデバイスと同時に通信することができないかを決定することを備える、および、
装置が、前記選択されたプライマリチャネルを使用して前記１つまたは複数のワイヤレスデバイスと通信することを意図することをシグナリングするメッセージを生成する、ここにおいて、前記メッセージは、前記選択されたプライマリチャネルのチャネル番号および前記選択されたプライマリチャネルを使用する前記意図された通信までの時間の量の表示を備える、
ように構成された少なくとも１つのプロセッサと、
前記少なくとも１つのアンテナを介して前記メッセージを送信するように構成された送信機と、
前記近隣ＢＳＳの１つまたは複数のワイヤレスデバイスからの応答を受信するように構成された受信機と
を備え、
ここにおいて、各応答が、前記選択されたプライマリチャネルが、前記応答を送信している前記ワイヤレスデバイスにとって許容可能であること、または、前記選択されたプライマリチャネルが、前記応答を送信している前記ワイヤレスデバイスにとって許容可能ではないことを示し、および、ここにおいて、
前記少なくとも１つのプロセッサが、前記応答に基づいて、異なるプライマリチャネルを選択するようにさらに構成される、アクセスポイント。